(57)【要約】【課題】事故回線以外の超電導限流器がクエンチした場合、速やかにその状況を検出し、超電導限流器を切り離して復帰させることが可能な超電導限流器システムを提供することを目的とする。【解決手段】通常時に抵抗のない超電導状態で電流を流し、その電流が一定値を越えた場合に抵抗を発生させることにより過電流を抑制する超電導限流手段２と、前記超電導限流手段２の抵抗の発生を検出するクエンチ検出手段３と、前記超電導限流手段２が直列に接続された送電線Ａの電気系統の事故の発生を検出する送電線監視手段５と、前記超電導限流手段２の抵抗の発生の有無及び送電線Ａの電気系統の事故の発生の有無に基づいて、前記超電導限流手段２に並列に接続されたバイパススイッチを用いて前記超電導限流手段２に流れる電流を制御するバイパス制御手段とを備えている。【選択図】  図１
2007236055.tif 000002
【特許請求の範囲】
【請求項１】
通常時に抵抗のない超電導状態で電流を流し、その電流が一定値を越えた場合に抵抗を発生させることにより過電流を抑制する超電導限流手段と、
前記超電導限流手段の抵抗の発生を検出するクエンチ検出手段と、
前記超電導限流手段が直列に接続された送電線の電気系統の事故の発生を検出する送電線監視手段と、
前記超電導限流手段の抵抗の発生の有無及び送電線の電気系統の事故の発生の有無に基づいて、前記超電導限流手段に並列に接続されたバイパススイッチを用いて前記超電導限流手段に流れる電流を制御するバイパス制御手段と
を備えたことを特徴とする超電導限流システム。
【請求項２】
前記クエンチ検出手段は、前記超電導限流手段の抵抗の発生の有無を表すクエンチ動作信号を出力するとともに、
前記送電線監視手段は、前記超電導限流手段に直列に接続された送電線の電気系統の事故の発生の有無を表す送電線保護リレー動作信号を検出し、
前記バイパス制御手段は、前記クエンチ動作信号及び送電線保護リレー動作信号に基づいて、前記超電導限流手段に流れる電流を制御する請求項１記載の超電導限流システム。
【請求項３】
前記クエンチ検出手段は、前記超電導限流手段の抵抗の発生の有無を表すクエンチ動作信号を出力するとともに、
前記送電線監視手段は、前記超電導限流手段の対地電圧及び線間電圧である超電導限流器端電圧を検出し、
前記バイパス制御手段は、前記クエンチ動作信号及び超電導限流器端電圧に基づいて、前記超電導限流手段に流れる電流を制御する請求項１記載の超電導限流システム。
【請求項４】
前記クエンチ検出手段は、前記超電導限流手段の抵抗の発生の有無を表すクエンチ動作信号を出力するとともに、
前記送電線監視手段は、送電線電流及び前記超電導限流手段の対地電圧である超電導限流器端電圧を検出して、超電導限流器から送電線側をみたインピーダンス値を算出し、
前記バイパス制御手段は、前記クエンチ動作信号及びインピーダンス値に基づいて、前記超電導限流手段に流れる電流を制御する請求項１記載の超電導限流システム。
【請求項５】
通常時に抵抗のない超電導状態で電流を流し、その電流が一定値を越えた場合に抵抗を発生させることにより過電流を抑制する超電導限流手段と、
前記超電導限流手段の抵抗の発生を検出するクエンチ検出手段と、
前記超電導限流手段の抵抗の発生の有無に基づいて、前記超電導限流手段に並列に接続されたバイパススイッチを用いて前記超電導限流手段に流れる電流を制御するバイパス制御手段とを備え、
複数の超電導限流手段が、並列に接続された複数の各々の送電線に直列に接続され、
前記バイパス制御手段は、一以上の超電導限流手段が抵抗を発生させた際に、同一相の全ての超電導限流手段に流れる電流を制御することを特徴とする超電導限流システム。
【請求項６】
通常時に抵抗のない超電導状態で電流を流し、その電流が一定値を越えた場合に抵抗を発生させることにより過電流を抑制する超電導限流手段と、
変電所から変圧器を投入する変圧器投入指令信号を入力した際に、前記超電導限流手段に並列に接続されたバイパススイッチを用いて前記超電導限流手段に流れる電流を制御するバイパス制御手段とを備えたことを特徴とする超電導限流システム。
【請求項７】
前記バイパス制御手段は、前記変圧器投入指令信号を入力した際に、その入力した時間から予め指定された所定時間経過後に前記バイパススイッチを投入する請求項６記載の超電導限流器システム。
【請求項８】
前記バイパス制御手段は、前記変圧器投入指令信号を入力した際に、前記バイパススイッチを投入し、このバイパススイッチ投入から予め指定された所定時間経過後にバイパススイッチを開放する請求項６記載の超電導限流器システム。
【請求項９】
前記バイパス制御手段は、前記変圧器投入指令信号を入力した際に、その入力した時間から予め指定された所定時間経過後に前記バイパススイッチを投入するとともに、このバイパススイッチ投入から予め指定された所定時間経過後にバイパススイッチを開放する請求項６記載の超電導限流器システム。
【請求項１０】
通常時に抵抗のない超電導状態で電流を流し、その電流が一定値を越えた場合に抵抗を発生させることにより過電流を抑制する超電導限流手段と、
前記超電導限流手段の抵抗の発生を検出するクエンチ検出手段と、
前記超電導限流手段が直列に接続された送電線の電気系統の事故の発生を検出する送電線監視手段と、
前記超電導限流手段の抵抗の発生の有無及び送電線の電気系統の事故の発生の有無に基づいて、前記超電導限流手段に並列に接続されたバイパススイッチを用いて前記超電導限流手段に流れる電流を制御するバイパス制御手段とを備え、
並列に接続された複数の送電線に対して、各々、前記超電導限流手段、クエンチ検出手段、バイパス制御手段、及び送電線監視手段が接続され、
前記各々のバイパス制御手段は、超電導限流手段の抵抗の発生の有無、及びこの超電導限流手段が接続されている送電線以外の送電線の事故の発生の有無に基づいて、前記超電導限流手段に並列に接続されたバイパススイッチを投入することを特徴とする超電導限流システム。
【請求項１１】
前記送電線監視手段は、前記超電導限流手段が接続された送電線の遮断器の開閉状態を検出し、
送電線の電気系統の事故の発生の有無、及び、送電線遮断器の開閉状態に基づいて、バイパススイッチの投入をロックする請求項１、請求項５、請求項６又は請求項１０記載の超電導限流システム。
【請求項１２】
前記送電線監視手段は、送電線電流及び前記超電導限流手段の対地電圧である超電導限流器端電圧を検出して、超電導限流器から送電線側をみたインピーダンス値を算出し、
送電線の電気系統の事故の発生の有無及び前記インピーダンス値に基づいて、バイパススイッチの投入をロックする請求項１、請求項５、請求項６又は請求項１０記載の超電導限流システム。
【請求項１３】
通常時に抵抗のない超電導状態で電流を流し、その電流が一定値を越えた場合に抵抗を発生させることにより過電流を抑制する超電導限流器を、送電線に接続し、
この超電導限流器の抵抗の発生の有無及び送電線の電気系統の事故の発生の有無に基づいて、前記超電導限流器に並列に接続されたバイパススイッチにより前記超電導限流器に流れる電流を制御することを特徴とする超電導限流方法。
【請求項１４】
通常時に抵抗のない超電導状態で電流を流し、その電流が一定値を越えた場合に抵抗を発生させることにより過電流を抑制する複数の超電導限流器を、並列に接続された複数の送電線に各々接続し、
いずれかの超電導限流器が抵抗を発生させた場合に、同一相の全ての超電導限流器について、前記超電導限流器に並列に接続されたバイパススイッチにより前記超電導限流器に流れる電流を制御することを特徴とする超電導限流方法。
【請求項１５】
通常時に抵抗のない超電導状態で電流を流し、その電流が一定値を越えた場合に抵抗を発生させることにより過電流を抑制する超電導限流器を、送電線に接続し、変電所が変圧器を投入する指令信号を出力した際に、前記超電導限流器に並列に接続されたバイパススイッチを用いて前記超電導限流手段に流れる電流を制御することを特徴とする超電導限流方法。
【発明の詳細な説明】
【技術分野】
【０００１】
本発明は、配電系統や送電系統などの電力系統に設置され、通常時は抵抗のない超電導状態で電流を流し、その電流が一定値を越えた場合に抵抗を発生させて過電流を抑制する超電導限流システム及び超電導限流方法に関する。
【背景技術】
【０００２】
送電線用遮断器の遮断責低減や超電導ケーブルの過電流抑制のために、超電導限流器を電線両端に設置して、事故が発生した区間の送電線の過電流を抑制する方法が提案されている（例えば特許文献１及び２）。
【０００３】
超電導限流器は、流れる電流が一定値を超えると常電導転移して抵抗を発生させる超電導特有の現象を利用した限流器である。電源側系統から負荷側系統へ電力を供給する送電線系統にこの超電導限流器を設置する場合、送電線が事故で停止しても電力供給が行えるように複数の送電線が並列に接続されており、各送電線に超電導限流器が設置される。
【０００４】
例えば、ある送電線で短絡等の事故が発生すると送電線に大きな事故電流が流れるが、この事故電流が臨界電流を越えた際に、超電導限流器で流れる電流を抑制することにより、事故回線の過電流を低減するとともに、送電線を流れる電流が送電線の過負荷容量や遮断器遮断限界電流を越えるのを防止する。
【０００５】
超電導限流器は、常電導転移して発生された抵抗に電流が流れることによって温度が上昇する恐れがあるため、超電導限流器を超電導状態に復帰させて再び超電導限流器として使用するには、一旦系統から切り離して電流が流れない状態にし冷却を行う必要がある。
【０００６】
例えば、超電導限流器が事故回線に設置された場合、事故検出により送電線両端の遮断器を開放させることにより、超電導限流器を問題なく切り離しできる。
【特許文献１】特開２００１−１１２１６６号公報
【特許文献２】特開平１０−２８５７９２号公報
【発明の開示】
【発明が解決しようとする課題】
【０００７】
超電導限流器を送電線に直列に設置した限流システムでは、定常運転時や事故時健全回線の超電導限流器で抵抗が発生すると、負荷側に電力供給が行えず、場合によっては停電を引き起こす可能性がある。よって、事故回線以外の超電導限流器で抵抗が発生した場合、速やかにその状況を検出して超電導限流器を切り離して復帰させるとともに、電力融通停止時間を短縮するシステムが必要である。
【０００８】
本発明は、上記課題を鑑みなされたものであり、事故回線以外の超電導限流器で抵抗が発生した場合、速やかにその状況を検出して超電導限流器を切り離して復帰させることが可能な超電導限流器システム及び超電導限流方法を提供することを目的とする。
【課題を解決するための手段】
【０００９】
上記課題を解決するために、本発明に係る超電導限流システムは、通常時に抵抗のない超電導状態で電流を流し、その電流が一定値を越えた場合に抵抗を発生させることにより過電流を抑制する超電導限流手段と、前記超電導限流手段の抵抗の発生を検出するクエンチ検出手段と、前記超電導限流手段が直列に接続された送電線の電気系統の事故の発生を検出する送電線監視手段と、前記超電導限流手段の抵抗の発生の有無及び送電線の電気系統の事故の発生の有無に基づいて、前記超電導限流手段に並列に接続されたバイパススイッチを用いて前記超電導限流手段に流れる電流を制御するバイパス制御手段とを備えたことを特徴とする。
【００１０】
また、本発明に係る超電導限流方法は、通常時に抵抗のない超電導状態で電流を流し、その電流が一定値を越えた場合に抵抗を発生させることにより過電流を抑制する超電導限流器を、送電線に接続し、この超電導限流器の抵抗の発生の有無及び送電線の電気系統の事故の発生の有無に基づいて、前記超電導限流器に並列に接続されたバイパススイッチにより前記超電導限流器に流れる電流を制御することを特徴とする。
【発明の効果】
【００１１】
本発明に係る超電導限流システム及び超電流限流方法によれば、事故回線以外の超電導限流器で抵抗が発生された場合に、速やかにその状況を検出し超電導限流器を切り離して復帰させることが可能となる。
【発明を実施するための最良の形態】
【００１２】
本発明に係る超電導限流器システムの実施形態について、添付図面に基づいて説明する。
【００１３】
〔第１実施形態〕
図１は、本発明に係る超電導限流システムの第１実施形態を示す構成図である。
【００１４】
第１実施形態の超電導限流システム１は、図１に示すように、電力系統において故障が生じて事故電流が発生した際に過電流を抑制する超電導限流手段２と、超電導限流手段２で常電導転移して抵抗を発生させたこと（クエンチ）を検出するクエンチ検出手段３と、超電導限流手段２に流れる電流を制御するバイパス制御手段４と、送電線Ａの電気系統に発生する事故を検知する送電線監視手段５とを備える。
【００１５】
また、超電導限流システム１は、送電線Ａに送電線遮断器Ｂに対して直列に接続される。
【００１６】
超電導限流手段２は、通常時には抵抗のない超電導状態で電流を流し、その電流が一定値を超えた場合に常電導転移して抵抗を発生させることにより過大電流を速やかに抑制する超電導限流器６を備える。
【００１７】
超電導限流器６は、電気抵抗がゼロであるとともにマイスナー効果を示す超伝導の特有な現象を利用した限流器であり、超伝導/常伝導(Ｓ／Ｎ)転移型、磁気遮蔽型および整流器型など様々な方式がある。
【００１８】
クエンチ検出手段３は、超電導限流器６を監視してクエンチを検出し、クエンチしているか否かを表す情報を出力する。
【００１９】
バイパス制御手段４は、超電導限流器６に流れる電流を制御するバイパススイッチ７と、バイパススイッチ７の開閉を制御するバイパススイッチ投入信号生成回路８とを備える。
【００２０】
バイパススイッチ投入信号生成回路８は、ＡＮＤ回路であり、入力信号が全て「１」であった時に、「１」を出力する。
【００２１】
送電線監視手段５は、送電線Ａから保護リレーを検出して、送電線Ａの電気系統に発生する事故を検出する送電線保護リレー動作検出器９と、送電線保護リレー動作検出器９が検出した保護リレーの不動作状態を表す信号を生成する送電線保護リレー不動作信号生成回路１０とを備える。
【００２２】
送電線保護リレー動作検出器９は、送電線Ａの故障により保護リレーが動作した時に保護リレーを検出し、保護リレーの動作状態を表す信号を出力する。
【００２３】
送電線保護リレー不動作信号生成回路１０は、ＮＯＴ回路であり、入力信号が「０」の時に「１」を、「１」の時に「０」を出力する。
【００２４】
次に、超電導限流システム１による作用を説明する。
【００２５】
超電導限流器６は、通常時には低インピーダンスで運転しているが、送電線Ａに事故電流等の高い電流が流れると高インピーダンスとなり、流れる電流の量が抑制される。また、超電導限流器６は、クエンチした際にはクエンチしているか否かを表すクエンチ動作信号ａとして「１」を出力し、クエンチしていない際にはクエンチ動作信号ａとして「０」を出力する（すなわち、クエンチ動作信号ａが出力されない。）。
【００２６】
クエンチ検出手段３は、超電導限流器６からクエンチ動作信号ａを入力した時に、クエンチしていることを表すクエンチ動作信号ｂとして「１」を出力し、超電導限流器６からクエンチ動作信号ａを入力しない時に、クエンチ動作信号ｂとして「０」を出力する。
【００２７】
クエンチ検出手段３から出力されたクエンチ動作信号ｂは、バイパススイッチ投入信号生成回路８に入力する。
【００２８】
一方で、送電線監視手段５において、送電線保護リレー動作検出器９により送電線Ａの保護リレーが動作していることを示す送電線保護リレー動作信号ｃを検出する。
【００２９】
送電線保護リレー動作検出器９は、送電線保護リレー動作信号ｃを入力し、送電線保護リレー動作信号ｃが「１」の時（送電線保護リレーが動作状態である時）に送電線保護リレー動作信号ｄとして「１」を出力し、送電線保護リレー動作信号ｃが「０」の時（送電線保護リレーが不動作状態である時）は送電線保護リレー動作信号ｄとして「０」を出力する。
【００３０】
送電線保護リレー動作検出器９から出力された送電線保護リレー動作信号ｄは、送電線保護リレー不動作信号生成回路１０に入力する。
【００３１】
送電線保護リレー不動作信号生成回路１０は、入力した送電線保護リレー動作信号ｄが「１」の時（送電線保護リレーが動作状態の時）に、送電線Ａが不動作状態であるか否かを表す送電線保護リレー不動作信号ｅとして「０」を出力し、入力した送電線保護リレー動作信号ｄが「０」の時（送電線保護リレーが不動作状態の時）に、送電線保護リレー不動作信号ｅとして「１」を出力する。
【００３２】
この送電線保護リレー不動作信号ｅは、送電線監視手段５の出力として、バイパススイッチ投入信号生成回路８に入力する。
【００３３】
バイパススイッチ投入信号生成回路８は、クエンチ検出手段３からのクエンチ動作信号ｂと送電線監視手段５からの送電線保護リレー不動作信号ｅとがともに「１」の場合に、バイパススイッチを投入する指令信号であるバイパススイッチ投入信号ｆとして「１」を出力し、それ以外の場合にバイパススイッチ投入信号ｆとして「０」を出力する。
【００３４】
バイパススイッチ投入信号生成回路８から出力されたバイパススイッチ投入信号ｆは、バイパススイッチ７へ伝達される。
【００３５】
バイパススイッチ７は、バイパススイッチ投入信号生成回路８から伝達されたバイパススイッチ投入信号ｆが「１」の時に、投入される。
【００３６】
超電導限流システム１によると、送電線Ａで地絡・短絡が発生したことを検出する送電線保護リレーが不動作状態であり、かつ超電導限流器６がクエンチした際に、超電導限流器と並列に接続されたバイパススイッチ７を投入させることにより、超電導限流器６を切り離して復帰させることが可能となる。
【００３７】
〔第２実施形態〕
次に、本発明に係る超電導限流システムの第２実施形態について、図２に基づいて説明する。なお、第１実施形態と同一の構成には同一の符号を付し、詳細な説明を省略する。
【００３８】
図２は、第２実施形態の超電導限流システム１Ａの構成図である。
【００３９】
超電導限流システム１Ａは、図２に示すように、電力系統において故障が生じて事故電流が発生した際に過電流を抑制する超電導限流手段２と、超電導限流手段２のクエンチを検出するクエンチ検出手段３と、超電導限流手段２に流れる電流を制御するバイパス制御手段４と、送電線Ａの電気系統に発生する事故を検知する送電線監視手段５とを備え、送電線Ａに送電線遮断機Ｂに対して直列に接続される。
【００４０】
送電線監視手段５Ａは、超電導限流器６の両端の対地電圧及び線間電圧電圧を検出する両端電圧検出判定手段１１を備える。また、漏電を防止するために、両端電圧検出判定手段１１の送電線Ａに接続される配線には、接続端子付近において電圧トランスデューサ１２が設置される。
【００４１】
次に、超電導限流システム１Ａによる作用について説明する。
【００４２】
超電導限流器６は、通常時には低インピーダンスで運転しているが、送電線Ａに事故電流等の高い電流が流れると高インピーダンスとなり、送電線Ａを流れる電流の量が抑制される。また、超電導限流器６は、クエンチした際に、クエンチしていることを表すクエンチ動作信号ａを出力する。
【００４３】
クエンチ検出手段３は、超電導限流器６からクエンチ動作信号ａを入力した時（クエンチしている時）は、クエンチ動作信号ｂとして「１」を出力し、超電導限流器６からクエンチ動作信号ａを入力しない時（クエンチしていない時）は、クエンチ動作信号ｂとして「０」を出力する。
【００４４】
クエンチ検出手段３から出力されたクエンチ動作信号ｂは、バイパススイッチ投入信号生成回路８に入力する。
【００４５】
一方で、両端電圧検出判定手段１１は、超電導限流器６に電気接続されて超電導限流器端電圧ｇを取得し、超電導限流器６の対地電圧及び線間電圧を検出する。
【００４６】
そして、両端電圧検出判定手段１１は、検出された電圧が予め設定したしきい値以上である場合に、電圧値が正常値であるか否かを表す両端電圧正常値信号ｈとして「１」を出力し、両端の電圧が予め設定したしきい値未満の場合には、両端電圧正常値信号ｈとして「０」を出力する。
【００４７】
例えば、超電導限流器６の設置端の定格電圧が６６０００Ｖで、超電導限流器６の両端の接続端子を「端子１」および「端子２」とし、予め設定した対地電圧のしきい値を３４２９０Ｖ（＝設置端子定格電圧の１０％）、線間電圧のしきい値を５４９００Ｖ（＝設置端子定格電圧の１０％）とした場合、検出された両端電圧により両端電圧検出判定手段１６は表１のような出力を行う。
【表１】
2007236055.tif 000003
【００４８】
両端電圧検出判定手段１１から出力された両端電圧正常値信号ｈは、バイパススイッチ投入信号生成回路８に入力する。
【００４９】
バイパススイッチ投入信号生成回路８では、入力した両端電圧正常値信号ｈとクエンチ動作信号ｂとがともに「１」の場合に、バイパススイッチ閉指令信号ｆとして「１」を出力し、それ以外の場合は、バイパススイッチ閉指令信号ｆとして「０」を出力する。
【００５０】
バイパススイッチ閉指令信号ｆは、バイパススイッチ７へ伝達される。
【００５１】
バイパススイッチ７は、バイパススイッチ投入信号生成回路８から伝達されたバイパススイッチ投入信号ｆが「１」の場合に、投入される。
【００５２】
超電導限流システム１Ａによると、超電導限流器がクエンチしていて、かつ、超電導限流器両端の対地電圧および線間電圧が一定値以上である際に、超電導限流器と並列に接続されたバイパススイッチ７を投入することが可能となる。
【００５３】
〔第３実施形態〕
次に、本発明に係る超電導限流システムの第３実施形態について、図３に基づいて説明する。なお、第１実施形態及び第２実施形態と同一の構成には同一の符号を付し、詳細な説明を省略する。
【００５４】
図３は、第３実施形態の超電導限流システム１Ｂの構成図である。
【００５５】
超電導限流システム１Ｂは、図３に示すように、電力系統において故障が生じて事故電流が発生した際に過電流を抑制する超電導限流手段２と、超電導限流手段２のクエンチを検出するクエンチ検出手段３と、超電導限流手段２に流れる電流を制御するバイパス制御手段４と、送電線Ａの電気系統に発生する事故を検知する送電線監視手段５とを備え、送電線Ａに送電線遮断機Ｂに対して直列に接続される。
【００５６】
送電線監視手段５Ｂは、送電線Ａの電流値及び電圧値を測定し、送電線Ａの事故状態を判定するインピーダンス測定手段１３を備える。
【００５７】
インピーダンス測定手段１３は、測定された電流値及び電圧値から送電線Ａのインピーダンスを算出するインピーダンス演算手段１４と、インピーダンス演算手段１４で算出されたインピーダンスに基づいて送電線Ａの事故状態を判定する送電線事故判定手段１５と、送電線事故判定手段１５で判定された事故状態に基づいて、バイパススイッチ７に送電線Ａの事故状態を表す信号を出力する非事故状態信号出力回路１６とから構成される。
【００５８】
非事故状態信号出力回路１６は、ＮＯＴ回路であり、入力信号が「１」の時に「０」を出力し、「０」の時に「１」を出力する。
【００５９】
なお、インピーダンス演算手段１４は、内部で接地されることにより、対地電圧を測定する。
【００６０】
次に、超電導限流システム１Ｂによる作用について説明する。
【００６１】
超電導限流器６は、通常時には低インピーダンスで運転しているが、送電線Ａに事故電流等の高い電流が流れると高インピーダンスとなり、超電導限流器６を流れる電流の量が抑制される。また、超電導限流器６は、クエンチした際に、クエンチしていることを表すクエンチ動作信号ａを出力する。
【００６２】
クエンチ検出手段３は、クエンチ動作信号ａを入力した時（クエンチしている時）は、超クエンチ動作信号ｂとして「１」を出力し、クエンチ動作信号ａを入力しない時（クエンチしていない時）は、クエンチ動作信号ｂとして「０」を出力する。
【００６３】
クエンチ検出手段３から出力されたクエンチ動作信号ｂは、バイパススイッチ投入信号生成回路８に入力する。
【００６４】
一方で、インピーダンス演算手段１４は、送電線Ａの電流値である送電線電流ｉ及び超電導限流器６の対地電圧である超電導限流器端電圧ｇを測定し、超電導限流器６から送電線Ａ側をみたインピーダンスを以下の（１）式により算出する。  
インピーダンス  ＝  検出電圧  ／  検出電流                ……（１）
【００６５】
インピーダンス演算手段１４で算出されたインピーダンス値ｊは、送電線事故判定手段１５に伝達される。送電線事故判定手段１５は、取得したインピーダンス値ｊを予め設定されている送電線の事故状態を示す範囲と照合する。
【００６６】
送電線事故判定手段１５は、インピーダンス値ｊを照合した結果、インピーダンス値ｊが送電線Ａの事故状態を示す範囲から外れている場合には、事故状態を表す事故状態信号ｋとして「０」を出力し、インピーダンス値ｊが送電線Ａの事故状態を示す範囲内である場合は、事故状態信号ｋとして「１」を出力する。
【００６７】
例えば、送電線事故判定手段１５では、事故状態であるか非事故状態であるかを判別するためのインピーダンスのしきい値を予め用意しており、インピーダンス演算手段１４で算出されたインピーダンス値ｊとしきい値との比較により、以下の（２）、（３）式の通り判定する。  
（インピーダンス値ｊ）≦（インピーダンスしきい値）            ……（２）
の時は事故状態信号ｋは「１」（事故状態と判定）  ……（３）
（インピーダンス値ｊ）＞（インピーダンスしきい値）
の時は事故状態信号ｋは「０」（非事故状態と判定）
【００６８】
送電線事故判定手段１５から出力された事故状態信号ｋは、非事故状態信号出力回路１６に入力する。非事故状態信号出力回路１６は、事故状態信号ｋを排他処理（ＮＯＴ）した結果を非事故状態信号ｌとして出力する。
【００６９】
すなわち、非事故状態信号出力回路１６は、入力した事故状態信号ｋが「１」の時（事故状態の時）は、事故状態を表す非事故状態信号ｌとして「０」を、事故状態信号ｋが「０」の時（非事故状態の時）には非事故状態信号ｌとして「１」を出力する。この非事故状態信号ｌが、インピーダンス測定手段１３の最終出力となる。
【００７０】
インピーダンス測定手段１３から出力された非事故状態信号ｌは、バイパススイッチ投入信号生成回路８に入力する。
【００７１】
バイパススイッチ投入信号生成回路８は、入力された非事故状態信号ｌ及びクエンチ動作信号ｂがともに「１」の場合に、バイパススイッチ閉指令信号ｆとして「１」を出力し、それ以外の場合は、バイパススイッチ閉指令信号ｆとして「０」を出力する。
【００７２】
バイパススイッチ投入信号生成回路８から出力されたバイパススイッチ投入信号ｆは、バイパススイッチ７へ伝達される。
【００７３】
バイパススイッチ７は、バイパススイッチ投入信号生成回路８から伝達されたバイパススイッチ投入信号ｆが「１」の場合に、投入される。
【００７４】
超電導限流システム１Ｂによると、超電導限流器６から送電線Ａ側をみたインピーダンスを測定し、そのインピーダンス値が送電線Ａの事故状態を示す範囲からはずれていて、かつ、超電導限流器６がクエンチしている際に、超電導限流器６と並列に接続されたバイパススイッチ７を投入することが可能となる。
【００７５】
〔第４実施形態〕
次に、本発明に係る超電導限流システムの第４実施形態について、図４に基づいて説明する。なお、第１実施形態〜第３実施形態と同一の構成には同一の符号を付し、詳細な説明を省略する。
【００７６】
図４は、第４実施形態の超電導限流システム１Ｃの構成図である。
【００７７】
超電導限流システム１Ｃは、図４に示すように、電力系統において故障が発生した際に事故電流を抑制する超電導限流手段２と、超電導限流手段２のクエンチを検出するクエンチ検出手段３と、超電導限流手段２に流れる電流を制御するバイパス制御手段４とを備える。
【００７８】
なお、第４実施形態の超電導限流システム１Ｃは、並列に接続された複数の送電線Ａにおいて、各々の送電線Ａに超電導限流手段２及びクエンチ検出手段３が接続されるが、バイパス制御手段４は単数しか設けられておらず、複数の超電流限流手段２とクエンチ検出手段３とが、共通のバイパス制御手段４に接続される。
【００７９】
次に、超電導限流システム１Ｃによる作用について説明する。
【００８０】
各クエンチ検出手段３は、各超電導限流器６からクエンチ動作信号ａを入力した時（クエンチしている時）は、クエンチ動作信号ｂとして「１」を出力し、超電導限流器６からクエンチ動作信号ａを入力しない時（クエンチしていない時）は、クエンチ動作信号ｂとして「０」を出力する。
【００８１】
各クエンチ検出手段３から出力されたクエンチ動作信号ｂは、バイパススイッチ投入信号生成回路８に入力する。
【００８２】
バイパススイッチ投入信号生成回路８は、接続されている全てのクエンチ検出手段３から出力されたクエンチ動作信号ｂが「１」の時に、バイパススイッチ投入指令信号ｆとして「１」を出力し、それ以外の時に、バイパススイッチ投入指令信号ｆとして「０」を出力する。
【００８３】
例えば、バイパススイッチ投入信号生成回路８は、表２のような出力を行う。
【表２】
2007236055.tif 000004
【００８４】
バイパススイッチ投入信号生成回路８から出力されたバイパススイッチ投入信号ｆは、全てのバイパススイッチ７に伝達される。
【００８５】
バイパススイッチ投入信号生成回路８から伝達された表２に示すようなバイパススイッチ投入指令信号ｆが「１」の場合に、全てのバイパススイッチ７が投入される。
【００８６】
超電導限流システム１Ｃによると、複数の送電線Ａの同一相の超電導限流器６がクエンチした際に、各送電線Ａに各々接続された超電導限流器６に対して各々並列に接続された全てのバイパススイッチ７を投入することが可能となる。
【００８７】
〔第５実施形態〕
次に、本発明に係る超電導限流システムの第５実施形態について、図５に基づいて説明する。なお、第１実施形態〜第４実施形態と同一の構成には同一の符号を付し、詳細な説明を省略する。
【００８８】
図５は、第５実施形態の超電導限流システム１Ｄの構成図である。
【００８９】
超電導限流システム１Ｄは、図５に示すように、電力系統において故障が生じて事故電流が発生した際に過電流を抑制する超電導限流手段２と、超電導限流手段２に流れる電流を制御するバイパス制御手段４Ｄとを備え、送電線Ａに送電線遮断機Ｂに対して直列に接続される。
【００９０】
また、送電線Ａには、超電導限流器システム１の近傍に変圧器Ｃが設置されるとともに、この変圧器Ｃの投入を制御する変圧器投入用開閉器Ｄが設置されている。
【００９１】
バイパス制御手段４Ｄは、超電導限流手段２に流れる電流を制御するバイパススイッチ７と、バイパススイッチ７の開閉を制御する変圧器投入指令信号検出手段１７とを備える。
【００９２】
次に、超電導限流システム１Ｄによる作用について説明する。
【００９３】
送電線Ａの通常動作中に、超電導限流器システム１Ｄの近傍にある変電所が変圧器Ｃの投入を指示する変圧器投入指令信号ｍを出力すると、変圧器投入用開閉器Ｄが変圧器投入指令信号ｍを入力して、変圧器投入指令信号ｍが「１」の時に変圧器Ｃの投入を行う。
【００９４】
変圧器投入指令検出手段１７は変圧器投入指令信号ｍを入力し、変圧器投入指令信号ｍが「１」の時にバイパススイッチ投入指令信号ｎとして「１」を出力し、変圧器投入指令信号ｍが「０」の時は、バイパススイッチ投入指令信号ｎとして「０」を出力する。
【００９５】
変圧器投入指令検出手段１７から出力されたバイパススイッチ投入指令信号ｎは、バイパススイッチ７へ伝達される。
【００９６】
バイパススイッチ７は、変圧器投入指令検出手段１７からから伝達されたバイパススイッチ投入信号ｎが「１」の場合に、投入される。
【００９７】
超電導限流システム１Ｄによると、送電線Ａが接続された変電所あるいは近傍の変電所において変圧器投入指令が与えられた場合に、その変圧器投入指令信号により超電導限流器と並列に接続されたバイパススイッチ７を投入するよう動作することが可能となる。
【００９８】
〔第６実施形態〕
次に、本発明に係る超電導限流システムの第６実施形態について、図６に基づいて説明する。なお、第１実施形態〜第５実施形態と同一の構成には同一の符号を付し、詳細な説明を省略する。
【００９９】
図６は、第６実施形態の超電導限流システム１Ｅの構成図である。
【０１００】
超電導限流システム１Ｅは、図６に示すように、電力系統において故障が生じて事故電流が発生した際に過電流を抑制する超電導限流手段２と、超電導限流手段２に流れる電流を制御するバイパス制御手段４Ｅとを備え、送電線Ａに送電線遮断機Ｂに対して直列に接続される。
【０１０１】
また、送電線Ａには、超電導限流器システム１Ｅの近傍に変圧器Ｃが設置されるとともに、この変圧器Ｃの投入を制御する変圧器投入用開閉器Ｄが設置されている。
【０１０２】
バイパス制御手段４Ｅは、超電導限流手段２に流れる電流を制御するバイパススイッチ７と、バイパススイッチ７の開閉を制御する変圧器投入指令信号検出手段１７と、変圧器投入指令信号検出手段１７から出力された入力信号を入力した際に、予め指定された所定時間だけ待機した後に入力信号を出力するディレイ出力手段１８とを備える。
【０１０３】
次に、超電導限流システム１Ｅによる作用について説明する。
【０１０４】
送電線Ａの通常動作中に、超電導限流器システム１Ｄの近傍にある変電所が変圧器Ｃの投入を指示する変圧器投入指令信号ｍを出力すると、変圧器投入用開閉器Ｄが変圧器投入指令信号ｍを入力して、変圧器投入指令信号ｍが「１」の時に変圧器Ｃの投入を行う。
【０１０５】
変圧器投入指令検出手段１７は変圧器投入指令信号ｍを入力し、変圧器投入指令信号ｍが「１」の時にバイパススイッチ投入指令信号ｎとして「１」を出力し、変圧器投入指令信号ｍが「０」の時は、バイパススイッチ投入指令信号ｎとして「０」を出力する。
【０１０６】
ディレイ出力手段１８はタイマー機能を有しており、変圧器投入指令検出手段１７から出力されたバイパススイッチ投入指令信号ｎを入力すると、その入力した時間から予め指定された所定時間経過後に、バイパススイッチ投入指令信号ｎを出力する。
【０１０７】
ディレイ出力手段１８から出力されたバイパススイッチ投入指令信号ｎは、バイパススイッチ７に伝達される。
【０１０８】
バイパススイッチ７は、ディレイ出力手段１８から伝達されたバイパススイッチ投入指令信号ｎが「１」の場合に、投入される。
【０１０９】
超電導限流システム１Ｅによると、送電線Ａが接続された変電所あるいは近傍の変電所において変圧器Ｃの投入指令が与えられた場合に、その変圧器Ｃの投入指令信号が出てから所定時間経過後に超電導限流器６と並列に接続されたバイパススイッチ７を投入することが可能となる。
【０１１０】
〔第７実施形態〕
次に、本発明に係る超電導限流システムの第７実施形態について、図７に基づいて説明する。なお、第１実施形態〜第６実施形態と同一の構成には同一の符号を付し、詳細な説明を省略する。
【０１１１】
図７は、第７実施形態の超電導限流システム１Ｆの構成図である。
【０１１２】
超電導限流システム１Ｆは、図７に示すように、電力系統において故障が生じて事故電流が発生した際に過電流を抑制する超電導限流手段２と、超電導限流手段２に流れる電流を制御するバイパス制御手段４Ｆとを備え、送電線Ａに送電線遮断機Ｂに対して直列に接続される。
【０１１３】
また、送電線Ａには、超電導限流器システム１Ｆの近傍に変圧器Ｃが設置されるとともに、この変圧器Ｃの投入を制御する変圧器投入用開閉器Ｄが設置されている。
【０１１４】
バイパス制御手段４Ｆは、超電導限流手段２に流れる電流を制御するバイパススイッチ７と、バイパススイッチ７の開閉を制御する変圧器投入指令信号検出手段１７と、変圧器投入指令信号検出手段１７から出力された信号を入力した際に、予め指定された所定時間だけ待機した後に入力信号を出力するディレイ出力手段１８とを備える。
【０１１５】
次に、超電導限流システム１Ｆによる作用について説明する。
【０１１６】
送電線Ａの通常動作中に、超電導限流器システム１Ｄの近傍にある変電所が変圧器Ｃの投入を指示する変圧器投入指令信号ｍを出力すると、変圧器投入用開閉器Ｄが変圧器投入指令信号ｍを入力して、変圧器投入指令信号ｍが「１」の時に変圧器Ｃの投入を行う。
【０１１７】
変圧器投入指令検出手段１７は変圧器投入指令信号ｍを入力し、変圧器投入指令信号ｍが「１」の時にバイパススイッチ投入指令信号ｎとして「１」を出力し、変圧器投入指令信号ｍが「０」の時は、バイパススイッチ投入指令信号ｎとして「０」を出力する。
【０１１８】
バイパススイッチ７は、バイパススイッチ投入指令信号ｎを入力し、バイパススイッチ投入指令信号ｎが「１」であった場合に、投入される。
【０１１９】
一方で、ディレイ出力手段１８も、変圧器投入指令検出手段１７から出力されたバイパススイッチ投入指令信号ｎを入力する。
【０１２０】
ディレイ出力手段１８はタイマー機能を有しており、バイパススイッチ投入指令信号ｎを入力すると、その入力した時間から予め指定された所定時間経過後に、バイパス投入指令信号ｎが「１」の時に、バイパススイッチ７の開放を指示するバイパススイッチ開放指令信号оとして「１」を出力し、バイパススイッチ投入指令信号ｎが「０」の時に、バイパススイッチ開放指令信号оとして「０」を出力する。
【０１２１】
ディレイ出力手段１８から出力されたバイパススイッチ開放指令信号оは、バイパススイッチ７に伝達される。
【０１２２】
バイパススイッチ投入指令信号ｎにより投入されたバイパススイッチ７は、ディレイ出力手段１８からバイパススイッチ開放指令信号оを入力し、バイパススイッチ開放指令信号оが「１」の場合に、開放される。
【０１２３】
超電導限流手段１Ｆによると、送電線Ａが接続された変電所あるいは近傍の変電所において変圧器Ｃの投入指令が与えられた場合に、その変圧器Ｃの投入指令信号により超電導限流器６と並列に接続されたバイパススイッチ７を投入するよう動作し、バイパススイッチ投入後の所定時間後にバイパススイッチ７を開放することが可能となる。
【０１２４】
〔第８実施形態〕
次に、本発明に係る超電導限流システムの第８実施形態について、図８に基づいて説明する。なお、第１実施形態〜第７実施形態と同一の構成には同一の符号を付し、詳細な説明を省略する。
【０１２５】
図８は、第８実施形態の超電導限流システム１Ｇの構成図である。
【０１２６】
超電導限流システム１Ｇは、図８に示すように、電力系統において故障が生じて事故電流が発生した際に過電流を抑制する超電導限流手段２と、超電導限流手段２に流れる電流を制御するバイパス制御手段４Ｇとを備え、送電線Ａに送電線遮断機Ｂに対して直列に接続される。
【０１２７】
また、送電線Ａには、超電導限流器システム１Ｇの近傍に変圧器Ｃが設置されるとともに、この変圧器Ｃの投入を制御する変圧器投入用開閉器Ｄが設置されている。
【０１２８】
バイパス制御手段４Ｇは、超電導限流手段２に流れる電流を制御するバイパススイッチ７と、バイパススイッチ７の開閉を制御する変圧器投入指令信号検出手段１７と、変圧器投入指令信号検出手段１７から出力された信号を入力して、予め指定された所定時間だけ待機した後に入力信号を出力するディレイ出力手段１８と、ディレイ出力手段１８から出力された信号を入力して予め指定された所定時間だけ待機した後に入力信号を出力する第２ディレイ出力手段１９とを備える。
【０１２９】
次に、超電導限流システム１Ｇによる作用について説明する。
【０１３０】
送電線Ａの通常動作中に、超電導限流器システム１Ｄの近傍にある変電所が変圧器Ｃの投入を指示する変圧器投入指令信号ｍを出力すると、変圧器投入用開閉器Ｄが変圧器投入指令信号ｍを入力して、変圧器投入指令信号ｍが「１」の時に変圧器Ｃの投入を行う。
【０１３１】
変圧器投入指令検出手段１７は変圧器投入指令信号ｍを入力し、変圧器投入指令信号ｍが「１」の時にバイパススイッチ投入指令信号ｎとして「１」を出力し、変圧器投入指令信号ｍが「０」の時は、バイパススイッチ投入指令信号ｎとして「０」を出力する。
【０１３２】
ディレイ出力手段１８はタイマー機能を有しており、変圧器投入指令検出手段１７から出力されたバイパススイッチ投入指令信号ｎを入力すると、その入力した時間から予め指定された所定時間経過後に、バイパススイッチ投入指令信号ｎを出力する。
【０１３３】
バイパススイッチ７は、ディレイ出力手段１８から出力されたバイパススイッチ投入指令信号ｎを入力し、バイパススイッチ投入指令信号ｎが「１」であった場合に、投入される。
【０１３４】
一方で、第２ディレイ出力手段１９も、ディレイ出力手段１８から出力されたバイパススイッチ投入指令信号ｎを入力する。
【０１３５】
第２ディレイ出力手段１９はタイマー機能を有しており、バイパススイッチ投入指令信号ｎを入力した際に、その入力した時間から予め指定された所定時間経過後に、バイパススイッチ投入指令信号ｎが「１」の時に、バイパススイッチ開放指令信号оとして「１」を出力し、バイパススイッチ投入指令信号ｎが「０」の時に、バイパススイッチ開放指令信号оとして「０」を出力する。
【０１３６】
第２ディレイ出力手段１９から出力されたバイパススイッチ開放指令信号оは、バイパススイッチ７に伝達される。
【０１３７】
バイパススイッチ７は、第２ディレイ出力手段１９から出力されたバイパススイッチ開放指令信号оを入力し、バイパススイッチ開放指令信号оが「１」の場合に開放される。
【０１３８】
超電導限流システム１Ｇによると、送電線Ａが接続された変電所あるいは近傍の変電所において変圧器Ｃの投入指令が与えられた場合に、その変圧器Ｃの投入指令信号が出てから所定時間後に超電導限流器６に並列に接続されたバイパススイッチ７を投入し、バイパススイッチ投入後の所定時間後にバイパススイッチ７を開放することが可能となる。
【０１３９】
〔第９実施形態〕
次に、本発明に係る超電導限流システムの第９実施形態について、図９に基づいて説明する。なお、第１実施形態〜第８実施形態と同一の構成には同一の符号を付し、詳細な説明を省略する。
【０１４０】
図９は、第９実施形態の超電導限流システム１Ｈの構成図である。
【０１４１】
超電導限流システム１Ｈは、図９に示すように、電力系統において故障が生じて事故電流発生した際に過電流を抑制する超電導限流手段２と、超電導限流手段２のクエンチを検出するクエンチ検出手段３と、超電導限流手段２に流れる電流を制御するバイパス制御手段４と、送電線Ａの事故状態を監視する送電線監視手段５Ｈとを備え、送電線Ａに送電線遮断機Ｂに対して直列に接続される。
【０１４２】
送電線監視手段５Ｈは、送電線遮断器Ｂが開放されているか否かの情報を検出する遮断器開放検出手段２０を備える。
【０１４３】
なお、第９実施形態の超電導限流システム１Ｈは、並列に接続された複数の送電線Ａにおいて、各々の送電線Ａに超電導限流手段２、クエンチ検出手段３、バイパス制御手段４、及び送電線監視手段５Ｈが接続される。
【０１４４】
次に、超電導限流システム１Ｈによる作用について説明する。
【０１４５】
超電導限流器６は、通常時には低インピーダンスで運転しているが、送電線Ａに事故電流等の高い電流が流れると高インピーダンスとなる。また、超電導限流器６は、クエンチしているか否かを表すクエンチ動作信号ａを出力する。
【０１４６】
クエンチ動作信号ａを入力したクエンチ検出手段３は、超電導限流器６がクエンチしている場合はクエンチ動作信号ｂとして「１」を出力し、超電導限流器６がクエンチしていない場合はクエンチ動作信号ｂとして「０」を出力する。
【０１４７】
クエンチ検出手段３から出力されたクエンチ動作信号ｂは、バイパススイッチ投入信号生成回路８に入力する。
【０１４８】
遮断器開放検出手段２０は、送電線遮断器Ｂの状態を監視しており、送電線遮断器Ｂの開閉状態を表す遮断器開放信号ｐを入力すると、遮断器開閉状態信号ｑとして「１」を出力し、送電線遮断器Ｂが閉状態の場合は遮断器開閉状態信号ｑとして「０」を出力する。
【０１４９】
バイパススイッチ投入信号生成回路８は、自身が接続されている送電線Ａ以外の全ての送電線遮断器Ｂの遮断器開閉状態信号ｑを入力する。
【０１５０】
バイパススイッチ投入信号生成回路８は、入力したクエンチ動作信号ｂ及び遮断器開閉状態信号ｑの全てが「１」の場合にはバイパススイッチ閉指令信号ｆとして「１」を出力し、それ以外の場合にはバイパススイッチ閉指令信号ｆとして「０」を出力する。
【０１５１】
バイパススイッチ投入信号生成回路８から出力されたバイパススイッチ閉指令信号ｆは、バイパススイッチ７に伝達される。
【０１５２】
バイパススイッチ７は、バイパススイッチ投入信号生成回路８から伝達されたバイパススイッチ投入指令信号ｆが「１」の時に、投入される。
【０１５３】
超電導限流システム１Ｈによると、送電線Ａの超電導限流器がクエンチしていて、かつ並列に接続された他の送電線Ａの送電線遮断器Ｂが事故等により開放された際に、超電導限流器６に並列に接続されたバイパススイッチ７を投入することが可能となる。
【０１５４】
〔第１０実施形態〕
次に、本発明に係る超電導限流システムの第１０実施形態について、図１０に基づいて説明する。なお、第１実施形態〜第９実施形態と同一の構成には同一の符号を付し、詳細な説明を省略する。
【０１５５】
図１０は、第１０実施形態の超電導限流システム１Ｊの構成図である。
【０１５６】
超電導限流システム１Ｊは、図１０に示すように、電力系統において故障が生じて事故電流が発生した際に過電流を抑制する超電導限流手段２と、超電導限流手段２に流れる電流を制御するバイパス制御手段４Ｊと、送電線Ａの電気系統に発生する事故を検知する送電線監視手段５Ｊとを備え、送電線Ａに送電線遮断機Ｂに対して直列に接続される。
【０１５７】
バイパス制御手段４Ｊは、超電導限流器６に並列に接続されたバイパススイッチ７と、バイパススイッチ７の投入をロック制御するバイパススイッチロック信号生成回路２１とを備える。
【０１５８】
送電線監視手段５Ｊは、送電線Ａからの電気系統に発生する事故を保護リレーにより検出して、保護リレーの状態を表す動作信号を生成する送電線保護リレー動作検出器９Ｊと、送電線遮断器Ｂの開放状態を検出して送電線遮断器Ｂの開放状態を表す動作信号を生成する送電線遮断器閉状態検出手段２２とを備える。
【０１５９】
次に、超電導限流システム１Ｊによる作用について説明する。
【０１６０】
送電線Ａの通常動作時において、送電線保護リレー動作検出器９Ｊは、送電線保護リレー動作信号ｃを入力し、送電線保護リレー信号ｃが「１」の時（動作状態の時）に、送電線保護リレー動作信号ｄとして「１」を出力し、送電線保護リレー信号が「０」の時（不動作状態の時）に、送電線保護リレー動作信号ｄとして「０」を出力する。
【０１６１】
送電線保護リレー動作検出器９Ｊから出力された電線保護リレー動作信号ｄは、バイパススイッチロック信号生成回路２１に入力する。
【０１６２】
一方で、送電線遮断器開状態検出手段２２は、送電線遮断器Ｂの開放状態を表す遮断器開閉状態信号ｑを入力し、送電線遮断器Ｂが閉状態の場合には遮断器閉状態信号ｒとして「１」を出力し、送電線遮断器Ｂが開放状態の場合には遮断器閉状態信号ｒとして「０」を出力する。
【０１６３】
送電線遮断器開状態検出手段２２から出力された遮断器閉状態信号ｒは、バイパススイッチロック信号生成回路２１に入力する。
【０１６４】
バイパススイッチロック信号生成回路２１は、送電線保護リレー動作検出器９Ｊから出力された送電線保護リレー動作信号ｄと、送電線遮断器開状態検出手段２２から出力された遮断器閉状態信号ｒとを入力し、双方の信号が「１」の場合にはバイパススイッチ投入ロック信号ｓとして「１」を出力し、それ以外の場合にはバイパス投入ロック信号として「０」を出力する。
【０１６５】
バイパススイッチロック信号生成回路２１から出力されたバイパススイッチ投入ロック信号ｓは、バイパススイッチ７に伝達される。
【０１６６】
バイパススイッチ７は、バイパススイッチロック信号生成回路２１から伝達されたバイパススイッチ投入ロック信号ｓが「１」の場合に、バイパススイッチ７の投入をロックする。
【０１６７】
超電導限流システム１Ｊによると、送電線Ａで地絡・短絡が発生したことを検出する送電線保護リレーが動作状態であり、かつ送電線用遮断器が投入されている際に、バイパススイッチ７の投入指令信号をロックすることが可能となる。
【０１６８】
〔第１１実施形態〕
次に、本発明に係る超電導限流システムの第１１実施形態について、図１１に基づいて説明する。なお、第１実施形態〜第１０実施形態と同一の構成には同一の符号を付し、詳細な説明を省略する。
【０１６９】
図１１は、第１１実施形態の超電導限流システム１Ｋの構成図である。
【０１７０】
超電導限流システム１Ｋは、図１１に示すように、電力系統において故障が生じて事故電流が発生した際に過電流を抑制する超電導限流手段２と、超電導限流手段２に流れる電流を制御するバイパス制御手段４Ｋと、送電線Ａの電気系統に発生する事故を検知する送電線監視手段５Ｋとを備え、送電線Ａに送電線遮断機Ｂに対して直列に接続される。
【０１７１】
バイパス制御手段４Ｋは、超電導限流器６に並列に接続されたバイパススイッチ７と、バイパススイッチ７の投入をロック制御するバイパススイッチロック信号生成回路２１とを備える。
【０１７２】
送電線監視手段５Ｋは、送電線Ａの電流値及び電圧値を測定することにより送電線Ａの事故状態を判定するインピーダンス測定手段１３Ｋと、送電線遮断器Ｂの開放状態を検出して送電線遮断器Ｂの開放状態を表す動作信号を生成する送電線遮断器閉状態検出手段２２とを備える。
【０１７３】
インピーダンス測定手段１３Ｋは、測定された電流値及び電圧値から送電線Ａのインピーダンスを算出するインピーダンス演算手段１４と、インピーダンス演算手段１４で算出されたインピーダンスに基づいて送電線Ａの事故状態を判定して事故状態を表す動作信号を生成する送電線事故判定手段１５Ｋとから構成される。
【０１７４】
次に、超電導限流システム１Ｋによる作用について説明する。
【０１７５】
送電線Ａの通常動作時において、インピーダンス測定手段１３Ｋのインピーダンス演算手段１４は、送電線Ａの電流値である送電線電流ｉ及び超電導限流器６の対地電圧である超電導限流器端電圧ｇを測定し、超電導限流器６から送電線Ａ側をみたインピーダンス値ｊを、第３実施形態と同様の手法で算出する。
【０１７６】
送電線事故判定手段１５Ｋは、インピーダンス演算手段１４で算出されたインピーダンス値ｊを入力して、予め設定されている送電線Ａの事故状態を示す範囲と照合する。
【０１７７】
そして、送電線事故判定手段１５Ｋは、インピーダンス値ｊが送電線Ａの事故状態を示す範囲から外れている場合には非事故状態信号ｌとして「０」を出力し、演算されたインピーダンス値が送電線の事故状態を示す範囲内の場合は事故状態信号ｋとして「１」を出力する。
【０１７８】
例えば、送電線事故判定手段１５Ｋは、事故状態であるか非事故状態であるかを判別するためのインピーダンスのしきい値を予め用意しており、インピーダンス演算手段１４で算出されたインピーダンス値としきい値との比較により以下の（４）、（５）式のように判定する。  
（演算インピーダンス値）≦（インピーダンスしきい値）
の時は非事故状態信号ｌは「１」（事故状態と判定）    ……（４）
（演算インピーダンス値）＞（インピーダンスしきい値）
の時は非事故状態信号ｌは「０」（非事故状態と判定）  ……（５）
【０１７９】
送電線事故判定手段１５Ｋから出力された非事故状態信号ｌは、バイパススイッチロック信号生成回路２１に入力する。
【０１８０】
一方で、送電線遮断器Ｂは、開閉状態を表す遮断器開閉状態信号ｑを出力する。
【０１８１】
送電線遮断器閉状態検出手段２２は、遮断器閉状態信号ｑを入力して、送電線遮断器Ｂが閉じている際には、送電線遮断器Ｂの閉状態を表す遮断器閉状態信号ｒとして「１」を出力し、送電線遮断器Ｂが開いている際には、遮断器閉状態信号ｒとして「０」を出力する。
【０１８２】
送電線遮断器閉状態検出手段２２から出力された遮断器閉状態信号ｒは、パイパススイッチロック信号生成回路２１に入力する。
【０１８３】
バイパススイッチロック信号生成回路２１は、送電線事故判定手段１５Ｋから出力された非事故状態信号ｌと、送電線遮断器開状態検出手段２２から出力された遮断器閉状態信号ｒとを入力し、双方が「１」の場合にはバイパススイッチ投入ロック信号ｓとして「１」を出力し、それ以外の場合にはバイパススイッチ投入ロック信号ｓとして「０」を出力する。
【０１８４】
バイパススイッチロック信号生成回路２１から出力されたバイパススイッチ投入ロック信号ｓは、バイパススイッチ７に伝達される。
【０１８５】
バイパススイッチ７では、バイパススイッチロック信号生成回路２１から伝達されたバイパススイッチ投入ロック信号ｓが「１」の時に、バイパススイッチ７の投入をロックする。
【０１８６】
超電導限流システム１Ｊによると、超電導限流器６から送電線Ａ側をみたインピーダンスを測定し、そのインピーダンス値が送電線Ａの事故状態を示す範囲内にあり、かつ送電線用遮断器Ｂが投入されている状態である際に、バイパススイッチ７の投入指令信号をロックすることが可能となる。
【図面の簡単な説明】
【０１８７】
【図１】本発明に係る超電導限流システムの第１実施形態の構成図。
【図２】本発明に係る超電導限流システムの第２実施形態の構成図。
【図３】本発明に係る超電導限流システムの第３実施形態の構成図。
【図４】本発明に係る超電導限流システムの第４実施形態の構成図。
【図５】本発明に係る超電導限流システムの第５実施形態の構成図。
【図６】本発明に係る超電導限流システムの第６実施形態の構成図。
【図７】本発明に係る超電導限流システムの第７実施形態の構成図。
【図８】本発明に係る超電導限流システムの第８実施形態の構成図。
【図９】本発明に係る超電導限流システムの第９実施形態の構成図。
【図１０】本発明に係る超電導限流システムの第１０実施形態の構成図。
【図１１】本発明に係る超電導限流システムの第１１実施形態の構成図。
【符号の説明】
【０１８８】
１、１Ａ〜１Ｋ……超電導限流システム，２……超電導限流手段，３……クエンチ検出手段，４、４Ｄ〜４Ｇ、４Ｊ、４Ｋ……バイパス制御手段，５、５Ａ、５Ｂ、５Ｈ、５Ｊ、５Ｋ……送電線監視手段，６……超電導限流器，７……バイパススイッチ，８、８Ｃ……バイパススイッチ投入信号生成回路，９、９Ｊ……送電線保護リレー動作検出器，１０……送電線保護リレー不動作信号生成回路，１１……両端電圧検出判定手段，１２……電圧トランスデューサ，１３、１３Ｋ……インピーダンス測定手段，１４……インピーダンス演算手段，１５、１５Ｋ……送電線事故判定手段，１６……非事故状態信号出力回路，１７……変圧器投入指令信号検出手段，１８……ディレイ出力手段，１９……第２ディレイ出力手段，２０……遮断器開放検出手段，２１……バイパススイッチ投入ロック信号生成回路，２２……送電線遮断器閉状態検出手段，ａ……クエンチ動作信号，ｂ……クエンチ動作信号，ｃ……送電線保護リレー動作信号，ｄ……送電線保護リレー動作信号，ｅ……送電線保護リレー不動作信号，ｆ……バイパススイッチ投入指令信号，ｇ……超電導限流器端電圧，ｈ……両端電圧正常値信号，ｉ……送電線電流，ｊ……インピーダンス値，ｋ……事故状態信号，ｌ……非事故状態信号，ｍ……変圧器投入指令信号，ｎ……バイパススイッチ投入指令信号，ｏ……バイパススイッチ開放指令信号，ｐ……遮断器開放検出信号，ｑ……遮断器開閉状態信号，ｒ……遮断器閉状態信号，ｓ……バイパススイッチ投入ロック信号，Ａ……送電線，Ｂ……送電線遮断器，Ｃ……変圧器，Ｄ……変圧器投入用開閉器。
【図１】
2007236055.tif 000005
【図２】
2007236055.tif 000006
【図３】
2007236055.tif 000007
【図４】
2007236055.tif 000008
【図５】
2007236055.tif 000009
【図６】
2007236055.tif 000010
【図７】
2007236055.tif 000011
【図８】
2007236055.tif 000012
【図９】
2007236055.tif 000013
【図１０】
2007236055.tif 000014
【図１１】
2007236055.tif 000015